(57)【要約】【課題】弾性を有し、柔軟性を高くし、アンテナ特性を良好にすることである。【解決手段】アンテナ装置は、支持体１１１と、支持体１１１にコイル状に巻回されたアンテナエレメント１１２と、を備えるアンテナ本体部１１と、アンテナ本体部１１を覆う外装部１２と、を備える。支持体１１１は、弾性を有する芯棒部と、芯棒部の周りに覆われ、芯棒部よりも柔軟性が高い柔軟部と、を有する。【選択図】図２
2013198021.tif 000002
【特許請求の範囲】
【請求項１】
支持体と、当該支持体にコイル状に巻回された導線のアンテナエレメントと、を備えるアンテナ本体部と、
前記アンテナ本体部を覆う外装部と、を備え、
前記支持体は、
弾性を有する芯棒部と、
前記芯棒部の周りに覆われ、当該芯棒部よりも柔軟性が高い柔軟部と、を有することを特徴とするアンテナ装置。
【請求項２】
前記外装部で覆われた前記アンテナ本体部が接続されるとともに、取り付け対象物に取り付けられるベース部を備え、
前記支持体は、
前記アンテナエレメントが巻回されるとともに、前記柔軟部から前記芯棒部が露出した基端部を有し、
前記アンテナ本体部は、
前記ベース部に接続されるとともに、カシメにより前記基端部が接続される導電性の接続部を有することを特徴とする請求項１に記載のアンテナ装置。
【請求項３】
前記支持体は、
前記芯棒部の周りに前記柔軟部が覆われ、軸方向の断面の直径が前記基端部よりも大きく同径の同径部と、
前記芯棒部の周りに前記柔軟部が覆われ、前記基端部から前記同径部へ軸方向の断面の直径が大きくなるテーパ形状を有する径変化部と、を有することを特徴とする請求項２に記載のアンテナ装置。
【請求項４】
前記アンテナエレメントは、１本の導線からなり、
前記支持体に巻回された複数の巻回部と、
前記複数の巻回部の間で前記支持体に密に巻回された密巻き部と、を有することを特徴とする請求項１から３のいずれか一項に記載のアンテナ装置。
【請求項５】
前記芯棒部は、グラスファイバー製であり、
前記柔軟部は、ポリエチレン製であることを特徴とする請求項１から４のいずれか一項に記載のアンテナ装置。
【発明の詳細な説明】
【技術分野】
【０００１】
本発明は、ロッドアンテナのアンテナ装置に関する。
【背景技術】
【０００２】
従来、自動車の車体に取り付けてＡＭ／ＦＭラジオ放送等の電波を受信するロッドアンテナが知られている。このロッドアンテナは、アンテナエレメントとしての導線をポリプロピレン（ＰＰ：PolyPropylene）製でロッド形状の支持体にコイル状に巻回し、当該支持体が外装カバーにより覆われている構造を有する。
【０００３】
また、支持体が基端部及び先端部を有し、先端部の軸方向の断面の直径を基端部よりも大きくして導線の巻回径を大きくしてアンテナ特性を向上したロッドアンテナが知られている（例えば、特許文献１参照）。
【先行技術文献】
【特許文献】
【０００４】
【特許文献１】特開２０１１−２２８７６７号公報
【発明の概要】
【発明が解決しようとする課題】
【０００５】
ロッドアンテナは、自動車の車体に取り付けられるため、道路上に設けられた障害物に接触することも想定されている。このため、ロッドアンテナは、障害物との接触等により、強い曲げ力が加えられても、元の形状に戻ることが要求されている。また、ロッドアンテナは、曲げ力が加えられたときに破損しないように、柔軟性も要求されている。
【０００６】
しかし、従来の支持体がポリプロピレン製のロッドアンテナでは、強い曲げ力が加えられた場合に、元の形状に戻らなくなるおそれがあった。また、従来の支持体の先端部を太くしたロッドアンテナでは、支持体に弾性（材料に力を加えて変形させた後、力を取り除くと元の形に完全に戻る性質）を有する材料を用いても、軸方向の断面の直径が大きいため、高い柔軟性が得られなかった。逆に、先端部の軸方向の断面の直径を小さくすると、良好なアンテナ特性が得られなかった。
【０００７】
本発明の課題は、弾性を有し、柔軟性を高くし、アンテナ特性を良好にすることである。
【課題を解決するための手段】
【０００８】
上記課題を解決するために、請求項１に記載の発明のアンテナ装置は、
支持体と、当該支持体にコイル状に巻回された導線のアンテナエレメントと、を備えるアンテナ本体部と、
前記アンテナ本体部を覆う外装部と、を備え、
前記支持体は、
弾性を有する芯棒部と、
前記芯棒部の周りに覆われ、当該芯棒部よりも柔軟性が高い柔軟部と、を有することを特徴とするアンテナ装置。
【０００９】
請求項２に記載の発明は、請求項１に記載のアンテナ装置において、
前記外装部で覆われた前記アンテナ本体部が接続されるとともに、取り付け対象物に取り付けられるベース部を備え、
前記支持体は、
前記アンテナエレメントが巻回されるとともに、前記柔軟部から前記芯棒部が露出した基端部を有し、
前記アンテナ本体部は、
前記ベース部に接続されるとともに、カシメにより前記基端部が接続される導電性の接続部を有することを特徴とする。
【００１０】
請求項３に記載の発明は、請求項２に記載のアンテナ装置において、
前記支持体は、
前記芯棒部の周りに前記柔軟部が覆われ、軸方向の断面の直径が前記基端部よりも大きく同径の同径部と、
前記芯棒部の周りに前記柔軟部が覆われ、前記基端部から前記同径部へ軸方向の断面の直径が大きくなるテーパ形状を有する径変化部と、を有することを特徴とする。
【００１１】
請求項４に記載の発明は、請求項１から３のいずれか一項に記載のアンテナ装置において、
前記アンテナエレメントは、１本の導線からなり、
前記支持体に巻回された複数の巻回部と、
前記複数の巻回部の間で前記支持体に密に巻回された密巻き部と、を有することを特徴とする。
【００１２】
請求項５に記載の発明は、請求項１から４のいずれか一項に記載のアンテナ装置において、
前記芯棒部は、グラスファイバー製であり、
前記柔軟部は、ポリエチレン製であることを特徴とする。
【発明の効果】
【００１３】
本発明によれば、弾性を有することができ、柔軟性を高くすることができ、アンテナ特性を良好にできる。
【図面の簡単な説明】
【００１４】
【図１】本発明の実施の形態及び変形例のアンテナ装置の全体図である。
【図２】ロッドアンテナ部の透視図である。
【図３】支持体の断面図である。
【図４】（ａ）は、アンテナエレメントが巻回された支持体と接続部との接続前の状態を示す図である。（ｂ）は、アンテナエレメントが巻回された支持体と接続部との接続後のアンテナ本体部を示す一部断面図である。
【図５】（ａ）は、変形例の第１のアンテナ本体部を示す図である。（ｂ）は、変形例の第２のアンテナ本体部を示す図である。
【発明を実施するための形態】
【００１５】
以下、本発明の実施の形態及び変形例を図面に基づいて詳細に説明する。但し、本発明は、図示例に限定されるものではない。
【００１６】
（実施の形態）
図１〜図４（ｂ）を参照して、本発明に係る実施の形態を説明する。先ず、図１を参照して、本実施の形態の装置であるアンテナ装置１の全体構成を説明する。図１は、本実施の形態及び変形例のアンテナ装置１，１Ｃ，１Ｄの全体図である。変形例のアンテナ装置１Ｃ，１Ｄについては、後述する。
【００１７】
本実施の形態のアンテナ装置１は、取り付け対象物としての自動車の車体等に取り付けられる車載用のアンテナである。ここでは、アンテナ装置１が、自動車の車体に取り付けられ、ＡＭ／ＦＭ放送の電波を受信するアンテナであるものとして説明する。車体のルーフには、アンテナ装置１の取り付け位置に固定用開口があけられている。アンテナ装置１は、車体の固定用開口に取り付けられる。
【００１８】
図１に示すように、アンテナ装置１は、ロッドアンテナ部１０と、ベース部２０と、を備える。ロッドアンテナ部１０は、ショートロッド形状のアンテナ部である。
【００１９】
ベース部２０は、ロッドアンテナ部１０が接続され、車体に取り付けられるベース部である。ベース部２０は、ベース本体部２１と、トップカバー部２２と、ボルト部２３と、ケーブル２４と、を備える。
【００２０】
ベース本体部２１は、ベース部２０の本体部であり、主としてアルミ等のダイキャストのベースからなる。また、ベース本体部２１は、ベース上に、ロッドアンテナ部１０の受信信号の増幅回路等の電子回路を有する回路基板を有する。また、ベース本体部２１は、外部からの塵、水がベース部２０及び車体の固定用開口に侵入するのを防ぐ弾性体製の防塵防水部が、ベースの側面部及び底部に設けられた構造を有する。
【００２１】
トップカバー部２２は、ベース本体部２１を上から覆うカバーであるとともに、ロッドアンテナ部１０を接続する接続部としても機能する。トップカバー部２２は、アンテナ接続部（図示略）を備える。アンテナ接続部は、ロッドアンテナ部１０が物理的及び電気的に接続されるとともに、ベース本体部２１の回路基板にケーブルを介して電気的に接続される。
【００２２】
ボルト部２３は、ベース本体部２１に接続され、ケーブル２４導通用の溝を有する固定部である。ボルト部２３が、車体の固定用開口に挿入された状態で、ナット部（図示略）により車体内側から締結されることにより、ベース部２０は、車体に取り付けられる。
【００２３】
ケーブル２４は、ロッドアンテナ部１０のアンテナエレメントに電気的に接続されたケーブルであり、ボルト部２３の溝を通って、車体内に引き回され、ＡＭ／ＦＭ放送用の受信機（図示略）に接続される。
【００２４】
次に、図２〜図４（ｂ）を参照して、ロッドアンテナ部１０を詳細に説明する。図２は、ロッドアンテナ部１０の透視図である。図３は、支持体１１１の断面図である。図４（ａ）は、アンテナエレメント１１２が巻回された支持体１１１と接続部１１３との接続前の状態を示す図である。図４（ｂ）は、アンテナエレメント１１２が巻回された支持体１１１と接続部１１３との接続後のアンテナ本体部１１を示す一部断面図である。
【００２５】
図２に示すように、ロッドアンテナ部１０は、アンテナ本体部１１と、外装部１２と、を備える。アンテナ本体部１１は、支持体１１１と、アンテナエレメント１１２と、接続部１１３と、を有する。
【００２６】
支持体１１１は、アンテナエレメント１１２を支持する支持体である。図３に示すように、支持体１１１は、芯棒部１１１Ａと、柔軟部１１１Ｂと、を有する。
【００２７】
芯棒部１１１Ａは、支持体１１１の芯棒部であり、軸方向の断面の直径が一定な円柱形状を有する。芯棒部１１１Ａは、弾性を有する部材としてのグラスファイバーからなる。このグラスファイバーとしては、例えば、不飽和ポリエステル樹脂にガラス繊維を混ぜたものが用いられる。不飽和ポリエステル樹脂が安価なためである。しかし、ガラス繊維を混ぜる樹脂としては、エポキシ樹脂、ポリアミド樹脂、フェノール樹脂等を用いてもよい。なお、芯棒部１１１Ａの材料としては、カーボンファイバー等、弾性を有する他の材料を用いてもよい。
【００２８】
柔軟部１１１Ｂは、芯棒部１１１Ａの軸方向の一部に設けられ、芯棒部１１１Ａの周りを覆う部材である。柔軟部１１１Ｂは、芯棒部１１１Ａよりも柔軟性が高いポリエチレン（ＰＥ；PolyEthylene）製である。柔軟部１１１Ｂの材料のポリエチレンとしては、比較的柔軟性が高い低密度ポリエチレンを用いることが好ましい。しかし、低密度ポリエチレンは耐熱性が低いため、柔軟部１１１Ｂの材料として、高密度ポリエチレンを用いる構成としてもよい。高密度ポリエチレンは、低密度ポリエチレンよりも柔軟性が低いが、耐熱性が高い。なお、柔軟部１１１Ｂの材料としては、ポリプロピレン等、芯棒部１１１Ａよりも柔軟性が高い他の材料を用いてもよい。
【００２９】
ここで、支持体１１１のうち、ベース部２０のトップカバー部２２への接続側の端部であるとともに、柔軟部１１１Ｂに覆われていない芯棒部１１１Ａの露出部分を基端部３１とする。支持体１１１のうち、柔軟部１１１Ｂに覆われている部分を被覆部３２とする。支持体１１１のうち、ベース部２０のトップカバー部２２への接続側と反対側の端部であるとともに、柔軟部１１１Ｂに覆われていない芯棒部１１１Ａの露出部分を先端部３３とする。
【００３０】
被覆部３２は、径変化部３２ａと、同径部３２ｂと、を有する。径変化部３２ａは、基端部３１と同径部３２ｂとの間に位置し、テーパ形状を有する部分である。径変化部３２ａの軸方向の断面の直径（以下、外径という）は、基端部３１の外径から同径部３２ｂの外径へ徐々に大きくなるよう変化している。同径部３２ｂは、被覆部３２のうち、外径（柔軟部１１１Ｂの厚さ）が一定な部分である。同径部３２ｂの外径は、基端部３１の外径よりも、柔軟部１１１Ｂの厚さの分だけ大きい。
【００３１】
また、柔軟部１１１Ｂは、例えば、芯棒部１１１Ａに柔軟部１１１Ｂの樹脂を成型することにより形成される。この成型の際に、芯棒部１１１Ａの両端としての基端部３１及び先端部３３を支持して被覆部３２の芯ずれを防いでいる。
【００３２】
図２に示すように、アンテナエレメント１１２は、導線であり、支持体１１１の基端部３１から被覆部３２へコイル状に巻回されている。アンテナエレメント１１２は、例えば、ニッケルメッキされた銅線等のメッキ加工された金属線や、エナメルコーティングされた銅線等の絶縁体コーティングされた金属線である。
【００３３】
アンテナエレメント１１２の巻回のピッチは、同一ピッチとする。被覆部３２が径変化部３２ａを有するので、アンテナエレメント１１２が基端部３１から被覆部３２へスムーズに巻回可能である。また、アンテナエレメント１１２の軸方向の長さは、受信電波の波長λの１／４倍に対応する長さに設定されている。
【００３４】
アンテナ装置１において、例えば、基端部３１の外径が２．６［ｍｍ］に設定され、同径部３２ｂの外径が６［ｍｍ］に設定される。すると、支持体の外径が３［ｍｍ］である従来のロッドアンテナに比べて、アンテナ装置１のアンテナエレメント１１２の被覆部３２の巻線長を同一ピッチで２倍にすることができる。但し、アンテナ装置１の寸法は、上記の寸法に限定されるものではない。
【００３５】
ロッドアンテナにおけるアンテナ利得に対応するアンテナ放射抵抗Ｒｒは、次式（１）で示される。
Ｒｒ＝（２５．３Ｌ／λ）２  …（１）
但し、Ｌ：アンテナ長、λ：電波の波長、であり、アンテナ長Ｌが支持体の外径に比べて大きいときに適用される式である。実際には、支持体の外径によりアンテナ面積が増加するため、アンテナ装置１のように支持体１１１の外径が増加すると、つまりアンテナエレメント１１２の巻線長が長くなると、アンテナ利得が増加する。
【００３６】
接続部１１３は、アンテナエレメント１１２が巻回された支持体１１１をトップカバー部２２のアンテナ接続部（図示略）に接続するための導電性を有する金属製の接続ピンである。接続部１１３には、雄螺子が形成されている。また、トップカバー部２２のアンテナ接続部には、雌螺子が形成されている。このため、接続部１１３の雄螺子をトップカバー部２２のアンテナ接続部の雌螺子に螺合することで、ロッドアンテナ部１０がベース部２０に固定接続され、アンテナエレメント１１２が接続部１１３及びアンテナ接続部を介してベース本体部２１の回路基板に電気的に接続される。また、接続部１１３は、アンテナエレメント１１２が巻回された支持体１１１が接続される筒状部１１３ａを有する。
【００３７】
ここで、図４（ａ）、図４（ｂ）を参照して、アンテナエレメント１１２が巻回された支持体１１１と、接続部１１３との接続を説明する。図４（ａ）に示すように、アンテナエレメント１１２が巻回された支持体１１１と、接続部１１３と、が分離されている状態において、アンテナエレメント１１２が巻回された基端部３１が筒状部１１３ａの内部に挿入される。アンテナエレメント１１２の端部は、テープにより基端部３１に固定されている。そして、図４（ｂ）に示すように、アンテナエレメント１１２が巻回された基端部３１が筒状部１１３ａに挿入された状態において、筒状部１１３ａの一部が六角形状等にカシメられ、カシメ部１１３ｂが形成される。このようにして、アンテナ本体部１１が製造される。
【００３８】
仮に、基端部３１の芯棒部１１１Ａが柔軟部１１１Ｂで覆われているとすれば、アンテナエレメント１１２が巻回された基端部３１が筒状部１１３ａに挿入された状態において、筒状部１１３ａがカシメられても、柔軟部１１１Ｂが柔らかいため、基端部３１が筒状部１１３ａから抜けてしまう。このため、基端部３１では、芯棒部１１１Ａが柔軟部１１１Ｂで覆われない構造とした。
【００３９】
図２に示すように、外装部１２は、アンテナ本体部１１を覆うように成型されている。外装部１２は、例えば、エラストマ等の誘電体製である。
【００４０】
以上、本実施の形態によれば、アンテナ装置１は、アンテナ本体部１１と、外装部１２と、ベース部２０と、を備える。アンテナ本体部１１は、支持体１１１と、支持体１１１にコイル状に巻回されたアンテナエレメント１１２と、を備える。支持体１１１は、弾性を有する芯棒部１１１Ａと、芯棒部１１１Ａの周りに覆われ、芯棒部１１１Ａよりも柔軟性が高い柔軟部１１１Ｂと、を有する。このため、アンテナ装置１において、芯棒部１１１Ａにより弾性を有することができ、柔軟部１１１Ｂにより柔軟性を高くすることができ、被覆部３２の大きな外径でアンテナエレメント１１２の巻線長が長くなったことによりアンテナ利得を増加でき、アンテナ特性を良好にできる。
【００４１】
また、支持体１１１は、アンテナエレメント１１２が巻回されるとともに柔軟部１１１Ｂから芯棒部１１１Ａが露出した基端部３１を有する。アンテナ本体部１１は、ベース部２０のトップカバー部２２のアンテナ接続部に接続されるとともに、カシメにより基端部３１が接続される導電性の接続部１１３を有する。このため、基端部３１が柔軟部１１１Ｂを有さないので、接続部１１３をカシメて基端部３１を接続しても、接続部１１３から基端部３１が抜けることを防ぐことができて、ロッドアンテナ部１０をベース部２０に物理的に強く固定接続できるとともに、接続部１１３によりベース部２０（の回路基板）とアンテナエレメント１１２とを電気的に確実に接続できる。
【００４２】
また、支持体１１１は、芯棒部１１１Ａの周りに柔軟部１１１Ｂが覆われ、外径が基端部３１よりも大きく同径の同径部３２ｂと、芯棒部１１１Ａの周りに柔軟部１１１Ｂが覆われ、基端部３１から同径部３２ｂへの外径が大きくなるテーパ形状を有する径変化部３２ａと、を有する。このため、基端部３１及び同径部３２ｂの外径の差があっても径変化部３２ａによりアンテナエレメント１１２を支持体１１１に容易に巻回できる。
【００４３】
また、芯棒部１１１Ａは、グラスファイバー製であり、柔軟部１１１Ｂは、ポリエチレン製である。このため、芯棒部１１１Ａにより、弾性を確実に得ることができ、柔軟部１１１Ｂにより、高い柔軟性を確実に得ることができる。さらに、柔軟部１１１Ｂを低密度ポリエチレン製とすれば、より高い柔軟性を得ることができ、柔軟部１１１Ｂを高密度ポリエチレン製とすれば、高い柔軟性及び耐熱性を得ることができる。
【００４４】
（変形例）
図１、図５（ａ）、図５（ｂ）を参照して、上記実施の形態の変形例を説明する。図５（ａ）は、本変形例のアンテナ本体部１１Ｃを示す図である。図５（ｂ）は、本変形例のアンテナ本体部１１Ｄを示す図である。
【００４５】
上記実施の形態では、アンテナ装置１が、ＡＭ／ＦＭ放送の電波を受信するアンテナであったが、図１に示す本変形例のアンテナ装置１Ｃ，１Ｄは、ＡＭ／ＦＭ放送と、他の通信方式との電波を受信するロッドアンテナとする。
【００４６】
本変形例のアンテナ装置１Ｃは、ＡＭ／ＦＭ放送及びＤＡＢ(Digital Audio Broadcast)放送の電波を受信するロッドアンテナ装置である。アンテナ装置１Ｃは、上記実施の形態のアンテナ装置１のロッドアンテナ部１０のアンテナ本体部１１をロッドアンテナ部１０Ｃのアンテナ本体部１１Ｃに替えた構成を有する。
【００４７】
図５（ａ）に示すように、アンテナ本体部１１Ｃは、支持体１１１と、アンテナエレメント１１２Ｃと、を備える。アンテナエレメント１１２Ｃは、巻回部１１２ａ，１１２ｃと、巻回部１１２ａ，１１２ｃの間の密巻き部１１２ｂと、からなる。
【００４８】
アンテナエレメント１１２Ｃの軸方向の長さＬａは、ＡＭ／ＦＭ放送の電波の波長λの１／４倍に対応する長さである。巻回部１１２ａ及び密巻き部１１２ｂの軸方向の長さＬｂは、ＤＡＢ放送の波長λの１／４倍に対応する長さである。巻回部１１２ａ，１１２ｃの巻回のピッチ及び巻き数は、ＡＭ／ＦＭ放送及びＤＡＢ放送の電波受信時に良好なアンテナ特性が得られるように調整されている。密巻き部１１２ｂは、アンテナエレメント１１２Ｃが支持体１１１上で密に（間隔なく）巻回された部分であり、ローパスフィルタの機能を有する。密巻き部１１２ｂの巻き数が多くなるほど、ローパスフィルタの周波数も下がる。
【００４９】
アンテナエレメント１１２Ｃで受信された受信信号は、ベース部２０を介して、ケーブル２４により車体内のＡＭ／ＦＭ放送の受信機（図示略）と、ＤＡＢ放送の受信機（図示略）とに接続される。
【００５０】
本変形例のアンテナ装置１Ｄは、ＡＭ／ＦＭ放送及びＴＶ放送の電波を受信するロッドアンテナである。アンテナ装置１Ｄは、上記実施の形態のアンテナ装置１のロッドアンテナ部１０のアンテナ本体部１１をロッドアンテナ部１０Ｄのアンテナ本体部１１Ｄに替えた構成を有する。
【００５１】
図５（ｂ）に示すように、アンテナ本体部１１Ｄは、支持体１１１と、アンテナエレメント１１２Ｄと、を備える。アンテナエレメント１１２Ｄは、巻回部１１２ｄ，１１２ｆと、巻回部１１２ｄ，１１２ｆの間の密巻き部１１２ｅと、からなる。
【００５２】
アンテナエレメント１１２Ｄの軸方向の長さＬｃは、ＡＭ／ＦＭ放送の電波の波長λの１／４倍に対応する長さである。巻回部１１２ｄ及び密巻き部１１２ｅの軸方向の長さＬｄは、ＴＶ放送の電波の波長λの１／４倍に対応する長さである。巻回部１１２ｄ，１１２ｆの巻回のピッチ及び巻き数は、ＡＭ／ＦＭ放送及びＴＶ放送の電波受信時に良好なアンテナ特性が得られるように調整されている。密巻き部１１２ｅは、アンテナエレメント１１２Ｃが支持体１１１上で密に（間隔なく）巻回された部分であり、ローパスフィルタの機能を有する。
【００５３】
アンテナエレメント１１２Ｄで受信された受信信号は、ベース部２０を介して、ケーブル２４により車体内のＡＭ／ＦＭ放送の受信機（図示略）と、ＴＶ放送の受信機（図示略）とに接続される。
【００５４】
以上、本変形例によれば、アンテナエレメント１１２Ｃは、１本の導線からなり、支持体１１１に巻回される巻回部１１２ａ，１１２ｃと、巻回部１１２ａ，１１２ｃの間の密巻き部１１２ｂと、を有する。このため、周波数が異なるＡＭ／ＦＭ放送及びＤＡＢ放送の電波を受信できる。
【００５５】
また、アンテナエレメント１１２Ｄは、１本の導線からなり、支持体１１１に巻回される巻回部１１２ｄ，１１２ｆと、巻回部１１２ｄ，１１２ｆの間の密巻き部１１２ｅと、を有する。このため、周波数が異なるＡＭ／ＦＭ放送及びＴＶ放送の電波を受信できる。
【００５６】
以上、本発明者によってなされた発明を実施の形態及び変形例に基づいて具体的に説明したが、本発明は上記実施の形態に限定されるものではなく、その要旨を逸脱しない範囲で変更可能である。
【００５７】
上記実施の形態では、アンテナ装置１が、ＡＭ／ＦＭ放送の電波を受信する構成としたが、これに限定されるものではない。アンテナ装置１は、周波数帯が異なる他の通信方式の電波を受信するアンテナ装置としてもよい。これには、例えば、アンテナエレメント１１２の軸方向の長さを変更すればよい。
【００５８】
上記変形例では、アンテナ装置１Ｃ，１Ｄが、ＡＭ／ＦＭ放送の電波と、ＤＡＢ放送又はＴＶ放送の電波と、を受信する構成としたが、これに限定されるものではない。アンテナ装置１は、周波数帯が異なる他の通信方式の電波を受信するアンテナ装置としてもよい。これには、例えば、アンテナエレメント１１２Ｃ，１１２Ｄの軸方向の長さを変化させて、低い方の受信周波数帯を変更すればよく、密巻き部１１２ｂ，１１２ｅの軸方向の位置を変化させて、高い方の受信周波数帯を変更すればよい。高い方の周波数の通信方式としては、携帯電話通信方式等がある。
【００５９】
また、上記変形例では、アンテナ装置１Ｃ，１Ｄが、２つの巻回部と、１つの密巻き部と、を有する構成としたが、これに限定されるものではない。アンテナ装置が、３つ以上の巻回部と、２つ以上の密巻き部と、を有し、３つ以上の異なる周波数帯の電波を受信する構成としてもよい。
【００６０】
今回開示された実施の形態及び変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
１，１Ｃ，１Ｄ  アンテナ装置
１０，１０Ｃ，１０Ｄ  ロッドアンテナ部
１１，１１Ｃ，１１Ｄ  アンテナ本体部
１１１  支持体
１１１Ａ  芯棒部
１１１Ｂ  柔軟部
３１  基端部
３２  被覆部
３２ａ  径変化部
３２ｂ  同径部
３３  先端部
１１２，１１２Ｃ，１１２Ｄ  アンテナエレメント
１１２ａ，１１２ｃ，１１２ｄ，１１２ｆ  巻回部
１１２ｂ，１１２ｅ  密巻き部
１１３  接続部
１１３ａ  筒状部
１１３ｂ  カシメ部
１２  外装部
２０  ベース部
２１  ベース本体部
２２  トップカバー部
２３  ボルト部
２４  ケーブル
【図１】
2013198021.tif 000003
【図２】
2013198021.tif 000004
【図３】
2013198021.tif 000005
【図４】
2013198021.tif 000006
【図５】
2013198021.tif 000007